(57)【要約】【課題】  音量制御操作子の操作に応じて、複数系列の楽音信号間の音量バランスを変更する。【解決手段】  楽音信号生成部１７ａ〜１７ｈは、上鍵盤１１、下鍵盤１２及び足鍵盤１３の演奏操作に応じた複数系列の楽音信号をそれぞれ生成する。音量特性変換部３０ａ〜３０ｈは、エクスプレッションペダル１４の踏み込み量を異なる変換特性で複数の音量制御値にそれぞれ変換する。乗算部Ｍ１〜Ｍ８は、複数系列の楽音信号に複数の音量制御値をそれぞれ乗算することにより、エクスプレッションペダル１４の操作に対する複数系列の楽音信号の音量変化特性をそれぞれ独立に制御する。【選択図】  図３
2008139721.tif 000002
【特許請求の範囲】
【請求項１】
複数系列の楽音信号をそれぞれ生成する楽音信号生成手段と、
演奏者により操作されて楽音信号の音量を制御するための音量制御操作子と、
前記音量制御操作子の操作量に対して前記複数系列の楽音信号ごとにそれぞれ異なる特性で変化する複数の音量制御値を設定する音量制御値設定手段と、
前記設定した複数の音量制御値に応じて前記生成された複数系列の楽音信号の音量をそれぞれ制御する音量制御手段とを備えたことを特徴とする電子楽器。
【請求項２】
請求項１に記載した電子楽器において、
前記音量制御値設定手段は、
前記音量制御操作子の操作量に対する音量制御値の変換特性を表す複数の異なる変換データを記憶した記憶手段を備え、
前記複数の変換データのうちから演奏者によって選択された変換データを用いて、前記音量制御操作子の操作量を前記複数系列の楽音信号の音量制御値に変換する電子楽器。
【請求項３】
複数系列の楽音信号をそれぞれ生成するとともに、前記生成された複数系列の楽音信号の音量をそれぞれ制御して出力する音源手段と、
演奏者により操作されて楽音信号の音量を制御するための音量制御操作子とを備えた電子楽器に適用されるプログラムであって、
前記音量制御操作子の操作量に対して前記複数系列の楽音信号ごとにそれぞれ異なる特性で変化する複数の音量制御値を設定し、前記設定した複数の音量制御値を前記音源手段に供給して前記生成された複数系列の楽音信号の音量をそれぞれ制御するステップを、コンピュータに実行させるプログラム。
【発明の詳細な説明】
【技術分野】
【０００１】
本発明は、複数系列の楽音信号を同時に発生する電子楽器及び前記電子楽器に適用されるプログラムに関する。
【背景技術】
【０００２】
従来から、楽音信号の音量を制御するための音量制御操作子としてのエクスプレッションペダルを備えた電子楽器はよく知られている。そして、下記特許文献１には、エクスプレッションペダルの操作量を、音色ごとに異なる変換特性で音量制御値に変換し、変換した音量制御値により楽音信号の音量を制御することにより、エクスプレッションペダルの操作に応じた楽音信号の音量制御特性を音色ごとに異ならせるようにした電子楽器が示されている。
【特許文献１】特開昭６０−２６２１９４号公報
【０００３】
また、電子楽器においては、複数系列の楽音信号を同時に発生させることも知られている。例えば、電子オルガンは、一般的に、上鍵盤、下鍵盤及び足鍵盤を有し、各鍵盤の演奏による各楽音信号はそれぞれ独立した系列を構成する。この場合、1つの鍵盤に対して、複数の系列が用意されていることもある。さらには、多数の音色選択ボタンをそれぞれ複数の音色選択ボタンを含む複数のグループに分け、複数のグループを複数の系列にそれぞれ対応させるようにした電子楽器もある。この場合、音色選択ボタンの選択操作により選択された音色の楽音信号は、選択された音色の属するグループに対応した系列の楽音信号として発生される。
【発明の開示】
【０００４】
従来の複数系列の楽音信号を同時に発生する電子楽器において、前記従来の音量制御操作子としてのエクスプレッションペダルを操作した場合には、複数系列の楽音信号は常に同じ音量特性で変化し、複数系列の楽音信号間の音量バランスを簡単に変更することができなかった。したがって、複数系列の楽音信号を同時に発生させても、エクスプレッションペダルの操作に応じて高い表現力をもった演奏を実現できなかった。
【０００５】
本発明は、上記問題に対処するためになされたもので、その目的は、複数系列の楽音信号を同時に発生する電子楽器において、音量制御操作子の操作に応じて複数系列の楽音信号間の音量バランスを変更するようにして、高い表現力をもった演奏を実現可能な電子楽器を提供することにある。
【０００６】
上記目的を達成するために、本発明の特徴は、複数系列の楽音信号をそれぞれ生成する楽音信号生成手段と、演奏者により操作されて楽音信号の音量を制御するための音量制御操作子と、前記音量制御操作子の操作量に対して前記複数系列の楽音信号ごとにそれぞれ異なる特性で変化する複数の音量制御値を設定する音量制御値設定手段と、前記設定した複数の音量制御値に応じて前記生成された複数系列の楽音信号の音量をそれぞれ制御する音量制御手段とを備えたことにある。
【０００７】
この場合、複数系列の楽音信号は、例えば、複数の異なる鍵盤の演奏により同時に独立して発生される複数の鍵盤にそれぞれ対応した複数の楽音信号群であってもよいし、各鍵盤の演奏によって同時に独立して発生される複数の異なる楽音信号群であってもよいし、複数の異なる音色群ごとの複数の楽音信号群であってもよい。また、音量制御操作子は、例えばエクスプレッションペダルであってもよいし、電子楽器の操作パネルに設けられて音量を制御する手動操作子であってもよい。
【０００８】
上記のように構成した電子楽器においては、音量制御値設定手段が、音量制御操作子の操作量に対して複数系列の楽音信号ごとにそれぞれ異なる特性で変化する複数の音量制御値を設定し、音量制御手段が、前記設定した複数の音量制御値に応じて生成された複数系列の楽音信号の音量をそれぞれ制御する。したがって、複数系列の楽音信号間の音量バランスが、音量制御操作子の操作に応じて変更される。例えば、ある系列の音量制御値と他の系列の音量制御値とが、音量制御操作子の操作量の変化に対してクロスフェードするように設定すれば、ある系列の楽音信号の音量と他の系列の楽音信号の音量とを、音量制御操作子の操作に応じてクロスフェードさせることも可能である。また、ある系列の音量制御値を音量制御操作子の操作量の変化に対して一定に維持し又は僅かに変化させ、他の系列の音量制御値を音量制御操作子の操作量の変化に対して大きく変化させるように設定すれば、ある系列の楽音信号の音量と他の系列の楽音信号の音量とのバランスを、音量制御操作子の操作に応じて変化させることができる。その結果、本発明の特徴によれば、電子楽器の演奏に、高い表現力をもたせることができるようになる。
【０００９】
また、本発明の他の特徴は、前記構成の電子楽器において、前記音量制御値設定手段は、前記音量制御操作子の操作量に対する音量制御値の変換特性を表す複数の異なる変換データを記憶した記憶手段を備え、前記複数の変換データのうちから演奏者によって選択された変換データを用いて、前記音量制御操作子の操作量を前記複数系列の楽音信号の音量制御値に変換するようにしたことにある。この場合、複数の系列にそれぞれ対応した複数の変換データを１組の変換データとして、複数組の変換データを記憶手段に記憶しておき、複数組の変換データの中から１組の変換データが同時に選択されるようにするとよい。また、各系列ごとに複数の変換データ（例えば、音色ごとの変換データ）を用意して記憶手段に記憶しておき、各系列ごとに変換データが独立して選択されるようにしてもよい。この本発明の他の特徴によれば、演奏者は、音量制御操作子の操作量に対する音量制御値の種々の変換特性を容易に選択できるようになる。
【００１０】
さらに、本発明の実施にあたっては、電子楽器の発明に限定されることなく、同電子楽器に適用されるコンピュータプログラム及び方法の発明としても実施し得るものである。
【発明を実施するための最良の形態】
【００１１】
以下、本発明に係る電子楽器の一実施形態について図面を用いて説明する。図１は、電子楽器の全体ブロック図である。この電子楽器は、上鍵盤１１、下鍵盤１２、足鍵盤１３、エクスプレッションペダル１４、設定操作子群１５、ディスプレイ１６及び音源回路１７を備えている。
【００１２】
上鍵盤１１は、電子楽器の正面側上部に設けられ、通常右手により操作されてメロディ音演奏に用いられる複数の鍵からなり、押離鍵操作により楽音信号の発生及び終了を指示する。下鍵盤１２は、電子楽器の正面側の上鍵盤１１よりも若干下方に設けられ、通常左手により操作されて伴奏音（和音）演奏に用いられる複数の鍵からなり、押離鍵操作により楽音信号の発生及び終了を指示する。足鍵盤１３は、電子楽器の正面下部に設けられ、通常左足により操作されて伴奏音（ベース音）に用いられる複数の鍵からなり、押離鍵操作により楽音信号の発生及び終了を指示する。これらの上鍵盤１１、下鍵盤１２及び足鍵盤１３の押離鍵操作は、バス２０に接続された検出回路１１ａ，１２ａ，１３ａによってそれぞれ検出される。エクスプレッションペダル１４は、通常右足によって操作される回動式の操作子であり、その踏み込み量（操作角度）に応じた楽音信号の音量制御に用いられる。エクスプレッションペダル１４の踏み込み量は、バス２０に接続された検出回路１４ａによって検出される。
【００１３】
設定操作子群１５は、この電子楽器の操作パネル上に設けられて、電子楽器の各部の動作を指示するとともに、各種データの選択及び設定に利用される。本実施形態では、特に複数系列の楽音信号の音色の選択を含む、楽音信号の楽音要素の設定に利用される。設定操作子群１５の操作は、バス２０に接続された検出回路１５ａによって検出される。ディスプレイ１６は、操作パネル上に設けられた液晶ディスプレイ、ＣＲＴなどで構成され、文字、数字、図形などを表示する。このディスプレイ１６の表示内容は、バス２０に接続された表示回路１６ａによって制御される。
【００１４】
音源回路１７は、バス２０に接続されていて、後述するコンピュータ部３０の制御のもとに、供給される演奏データ及び各種制御データに基づいてディジタル楽音信号を生成してサウンドシステム１８に出力する。音源回路１７について図３の機能ブロック図を用いて説明しておくと、音源回路１７内には複数の楽音信号生成部１７ａ〜１７ｈが設けられている。楽音信号生成部１７ａ，１７ｂは、上鍵盤１１の演奏操作に応じて第１及び第２のアッパー系列の楽音信号を生成して出力する。楽音信号生成部１７ｃ、１７ｄは、上鍵盤１１の演奏操作に応じて第１及び第２のリード系列の楽音信号を生成して出力する。第１及び第２のアッパー系列の楽音信号生成部１７ａ，１７ｂは、上鍵盤１１にて演奏操作された全ての押鍵に対して楽音信号を生成するが、第１及び第２のリード系列の楽音信号生成部１７ｃ，１７ｄは、上鍵盤１１にて押鍵中の最高鍵に対応する楽音信号のみを生成する。
【００１５】
楽音信号生成部１７ｅ，１７ｆは、下鍵盤１２の演奏操作に応じて第１及び第２のロワー系列の楽音信号を生成して出力する。楽音信号生成部１７ｇ、１７ｈは、足鍵盤１３の演奏操作に応じて第１及び第２のペダル系列の楽音信号を生成して出力する。第１及び第２のロワー系列の楽音信号生成部１７ｅ，１７ｆは、下鍵盤１２にて演奏操作された全ての押鍵に対して楽音信号を生成するが、第１及び第２のペダル系列の楽音信号生成部１７ｇ，１７ｈは、足鍵盤１３にて押鍵された最低鍵に対応する楽音信号のみを生成する。これらの楽音信号生成部１７ａ〜１７ｈにおける楽音信号の生成の有無、生成される楽音信号の音色、生成された楽音信号に付与される効果などは、設定操作子群１５の操作によって設定される。
【００１６】
これらの楽音信号生成部１７ａ〜１７ｈから出力された複数の楽音信号は、音源回路１７に設けられた複数の乗算部Ｍ１〜Ｍ８に供給される。複数の乗算部Ｍ１〜Ｍ８は、前記供給された複数の楽音信号に、音量特性変換部３０ａ〜３０ｈから供給される複数の音量制御値を乗算して合算部ＤＡ１に供給する。音量特性変換部３０ａ〜３０ｈは、後述するコンピュータ部３０のプログラム処理によって実現される機能ブロックである。複数の音量制御値は、前記複数系列の音量レベルをそれぞれ表す。合算部ＤＡ１も音源回路１７内に設けられて、乗算部Ｍ１〜Ｍ８により音量制御値の乗算された複数系列の楽音信号を合算してサウンドシステム１８に供給する。なお、前述した複数の楽音信号生成部１７ａ〜１７ｈ、複数の乗算部Ｍ１〜Ｍ８及び合算部ＤＡは、音源回路１７内に物理的に独立して設けられているわけではなく、適宜時分割演算処理によって実現される機能である。
【００１７】
ふたたび図１の説明に戻ると、サウンドシステム１８は、Ｄ／Ａ変換器、アンプ、スピーカなどを含んでいて、供給されるディジタル楽音信号をアナログ楽音信号に変換するとともに、同アナログ楽音信号に対応した楽音を放音する。
【００１８】
また、この電子楽器は、バス２０に接続されたコンピュータ部３０、外部記憶装置４１、ＭＩＤＩインターフェース回路４２及び通信インターフェース回路４３も備えている。コンピュータ部３０は、ＣＰＵ３１、タイマ３２、ＲＯＭ３３及びＲＡＭ３４からなる。外部記憶装置４１は、ＨＤＤ、ＦＤＤ、ＣＤ−ＲＯＭ、ＭＯ、ＤＶＤ、半導体メモリなどの不揮発性の記録媒体と、同各記録媒体に対するドライブユニットを含むものであり、後述するデータ及びプログラムの記憶及び読出しを可能にしている。これらのデータ及びプログラムは予め外部記憶装置４１に記憶されていてもよいし、ＭＩＤＩインターフェース回路４２又は通信インターフェース回路４３を介して外部から取り込んでもよい。
【００１９】
ＭＩＤＩインターフェース回路４２は、他の電子音楽装置、パーソナルコンピュータなどのＭＩＤＩ対応の外部機器５１に接続可能となっていて、この電子楽器が外部機器５１と各種プログラム及びデータを交信可能としている。通信インターフェース回路４３は、通信ネットワーク５２に接続可能となっていて、この電子楽器が各種プログラム及びデータをサーバコンピュータ５３から受信し、又はサーバコンピュータ５３に送信できるようになっている。
【００２０】
次に、上記のように構成した実施形態の動作を説明する。電子楽器の図示しない電源スイッチが投入されると、コンピュータ部３０は、図２のプログラムを所定の短時間ごとに繰り返し実行する。設定操作子群１５が操作されると、コンピュータ部３０は、ステップＳ１１にて、前記設定操作子群１５の操作に応じて音源回路１７の楽音信号発生状態を設定する。具体的には、前述したように、音源回路１７における複数系列の楽音信号の生成の有無、生成される楽音信号の音色、生成された楽音信号に付与される効果などを設定する。
【００２１】
また、上鍵盤１１、下鍵盤１２および足鍵盤１３のいずれかの鍵が演奏操作されると、コンピュータ部３０は、ステップＳ１２にて、前記鍵の演奏操作に応じた演奏データ（ノートデータ、キーオンデータ、キーオフデータなど）を音源回路１７に出力する。この場合、コンピュータ部３０は、前記演奏データを、複数系列の楽音信号生成部１７ａ〜１７ｈのうちで、前記設定操作子群１５の設定状態に応じたいずれか１つ又は複数の楽音信号生成部１７ａ〜１７ｈに供給する。演奏データの供給された楽音信号生成部１７ａ〜１７ｈは、前記設定操作子群１５の操作によって設定された楽音信号発生状態に応じて楽音信号を生成して乗算器Ｍ１〜Ｍ８に供給する。なお、リード系の楽音信号を発生する楽音信号生成部１７ｃ，１７ｄにおける楽音信号の発生を制御する場合には、コンピュータ部３０は、前記ステップＳ１２の処理により、上鍵盤１１の押鍵中の鍵のうちで最高鍵に対応する演奏データを楽音信号生成部１７ｃ，１７ｄに供給する。また、ペダル系の楽音信号を発生する楽音信号生成部１７ｇ，１７ｈにおける楽音信号の発生を制御する場合には、コンピュータ部３０は、前記ステップＳ１２の処理により、足鍵盤１３の押鍵中の鍵のうちで最低鍵に対応する演奏データを楽音信号生成部１７ｇ，１７ｈに供給する。
【００２２】
また、エクスプレッションペダル１４の踏み込み操作に変化があると、コンピュータ部３０は、ステップＳ１３にて、エクスプレッションペダル１４の踏み込み操作量に応じた複数系列の音量制御値を計算して音源回路１７に出力する。この音量制御値の計算について説明すると、図３の機能ブロックに示すように、音量特性変換部３０ａ〜３０ｈが、エクスプレッションペダル１４の踏み込み量を検出回路１４ａから入力して、第１及び第２のアッパー系列、第１及び第２のリード系列、第１及び第２のロワー系列、並びに第１及び第２のペダル系列の楽音信号の音量制御値に変換し、音源回路１７の乗算部Ｍ１〜Ｍ８にそれぞれ出力する。音量特性変換部３０ａ〜３０ｈは、外部記憶装置４１に記憶された変換テーブルと、同変換テーブルを用いてエクスプレッションペダル１４の踏み込み量を音量制御値に変換するプログラム処理に対応したものである。
【００２３】
変換テーブルは、図４に示すように、エクスプレッションペダル１４の踏み込み量から音量制御値への変換特性を表すデータを記憶したものである。例えば、第１及び第２のアッパー系列に関しては、図４(Ａ)に示すように、共通に、前記踏み込み量が増加するに従って音量制御値が線形に増加する特性に定められている。第１及び第２のリード系列に関しては、図４(Ｂ)に示すように、共通に、前記踏み込み量が増加するに従って音量制御値が非線形に増加する特性に定められている。第１及び第２のロワー系列、並びに第１及び第２のリード系列に関しては、図４(Ｃ)(Ｄ)に示すように、共通に、前記踏み込み量が増加するに従って音量制御値が線形に増加する特性に定められている。ただし、この場合、第１及び第２のアッパー系列、並びに第１及び第２のリード系列の変換特性は、第１及び第２のロワー系列、並びに第１及び第２のリード系列の変換特性に比べて、変化率が大きく設定されており、これにより、前者の音量制御値は、後者の音量制御値に比べて、エクスプレッションペダル１４の踏み込み量の変化に対して大きく変化する。
【００２４】
また、図５(Ａ)(Ｂ)に示すように、第１及び第２のアッパー系列を分離して、第１のアッパー系列の変換特性線と第２のアッパー系列の変換特性線が、クロスフェードするように設定してもよい。さらに、図５(Ｃ)(Ｄ)に示すように、第１及び第２のロワー系列を分離して、第１のロワー系列の変換特性はエクスプレッションペダル１４の踏み込み量の増加に従って線形に増加するが、第２のロワー系列の変換特性は前記踏み込み量が変化しても一定に保たれるようにしてもよい。これらの図４(Ａ)〜(Ｄ)及び図５(Ａ)〜(Ｄ)の変換特性は、一例を示すもので、種々に変更され得る。また、音量特性変換部３０ａ〜３０ｈは、前記変換テーブルに代えて予め記憶されている関数を用いて音量制御値を計算するようにしてもよい。
【００２５】
そして、乗算器Ｍ１〜Ｍ８は、楽音信号生成部１７ａ〜１７ｈからの前記楽音信号に、音量特性変換部３０ａ〜３０ｈからの音量制御値をそれぞれ乗算して合算部ＤＡ１に出力する。合算部ＤＡ１は、乗算部Ｍ１〜Ｍ８から供給された音量制御値の乗算された複数の楽音信号を合算してサウンドシステム１８に出力する。サウンドシステム１８は、前記合算された楽音信号を放音する。
【００２６】
上記作動説明からも理解できるように、上記実施形態によれば、第１及び第２のアッパー系列、第１及び第２のリード系列、第１及び第２のロワー系列、並びに第１及び第２のペダル系列の楽音信号間の音量バランスが、エクスプレッションペダル１４の操作に応じて変更されて、電子楽器の演奏に、高い表現力をもたせることができるようになる。
【００２７】
また、上記説明では、各系列のエクスプレッションペダル１４の踏み込み量に対する音量制御値の変換特性は固定されていたが、各系列の変換特性を変更可能としてもよい。この場合、図６に示すように、アッパー系列（第１及び第２のアッパー系列共通）、リード系列（第１及び第２のリード系列共通）、ロワー系列（第１及び第２のロワー系列共通）、並びにペダル系列（第１及び第２のペダル系列共通）にそれぞれ対応した変換特性を示す複数の変換データ６１〜６４を１組の変換データとし、外部記憶装置４１に複数組の変換データ６０−１，６０−２・・・６０−ｎを記憶しておく。そして、選択部７１が、複数組の変換データ６０−１，６０−２・・・６０−ｎの中から１組の変換データを同時に選択してＲＡＭ３４内に記憶させ、図３の音量特性変換部３０ａ〜３０ｈにおいてエクスプレッションペダル１４の踏み込み量から音量制御値への変換に利用されるようにしてもよい。選択部７１の処理は、図２のステップＳ１１の処理により、設定操作子群１５の操作に基づくプログラム処理に対応する。なお、この場合も、図６に破線で示すように、第１及び第２のアッパー系列の変換データ６１，６５を独立に設けるとともに、第１及び第２のロワー系列の変換データ６３，６６を独立に設けるようにしてもよい。これによれば、演奏者は、複数系列の楽音信号間の音量バランスを良好に保った状態で、種々の音量制御値の変換特性を容易に設定できる。
【００２８】
また、アッパー系列（第１及び第２のアッパー系列共通）、リード系列（第１及び第２のリード系列共通）、ロワー系列（第１及び第２のロワー系列共通）、並びにペダル系列（第１及び第２のペダル系列共通）のそれぞれの系列ごとに、複数の変換データ６１−１〜６１−ｎ，６２−１〜６２−ｎ，６３−１〜６３−ｎ，６４−１〜６４−ｎを用意して外部記憶装置４１に記憶しておく。そして、選択部７２が、各系列ごとに、変換データ６１−１〜６１−ｎ，６２−１〜６２−ｎ，６３−１〜６３−ｎ，６４−１〜６４−ｎを選択してＲＡＭ３４内に記憶させ、図３の音量特性変換部３０ａ〜３０ｈにおいてエクスプレッションペダル１４の踏み込み量から音量制御値への変換に利用されるようにしてもよい。選択部７２の処理も、図２のステップＳ１１の処理により、設定操作子群１５の操作に基づくプログラム処理に対応する。これによれば、演奏者は、各系列内の音色の特徴を生かして、種々の音量制御値の変換特性を容易に設定できる。
【００２９】
さらに、ユーザ設定部７３が、アッパー系列（第１及び第２のアッパー系列共通）、リード系列（第１及び第２のリード系列共通）、ロワー系列（第１及び第２のロワー系列共通）、並びにペダル系列（第１及び第２のペダル系列共通）のそれぞれの系列ごとに、変換データを設定操作子群１５の操作に応じて任意に設定するようにしてもよい。また、ディスプレイ１６内又は操作パネル上に設けたタッチパネルを用いて前記変換データを設定することもできる。そして、この設定された変換データもＲＡＭ３４に記憶される。ユーザ設定部７３の処理も、図２のステップＳ１１の処理により、設定操作子群１５の操作に基づくプログラム処理に対応する。これによれば、演奏者は、任意の音量制御値の変換特性を生成して、予め用意されている変換特性を前記生成した変換特性に差し替えることができる。
【００３０】
さらに、本発明の実施にあたっては、上記実施形態に限定されるものではなく、本発明の目的を逸脱しない限りにおいて種々の変更が可能である。
【００３１】
例えば、上記実施形態においては、エクスプレッションペダル１４を電子楽器に予め組み込むようにした。しかし、これに代えて、エクスプレッションペダル１４を電子楽器とは別体に構成して、有線あるいは無線で電子楽器と接続されるようにしてもよい。また、上記実施形態のエクスプレッションペダル１４に代えて他の音量制御操作子を用いてもよい。例えば、電子楽器の操作パネルに設けられて音量を制御する手動操作子であってもよい。
【００３２】
また、上記実施形態においては、複数系列の楽音信号として、鍵盤ごと、さらに同一鍵盤の演奏によって発生される独立した楽音信号群とした。しかし、複数系列の楽音信号とは、それぞれ独立して発生される複数の楽音信号群であれば、どのような形態でもよい。例えば、複数の異なる音色の楽音信号を重ねて（「レイヤー」して）、１つの楽音信号とする場合に、複数の楽音信号が重ねられた１つ楽音信号を１系列の楽音信号としてもよい。また、1つの鍵盤を下鍵域と上鍵域とに分割して（「スプリット」して）、下鍵域及び上鍵域の演奏による楽音信号を同時に発生する場合に、下鍵域及び上鍵域に関する楽音信号をそれぞれ独立した２つの系列の楽音信号としてもよい。類似した複数の音色からそれぞれなる複数の音色群の楽音信号を、複数系列の楽音信号としてもよい。これらの複数系列の楽音信号に対しては、エクスプレッションペダル１４の踏み込み量を音量制御値に変化する変換特性を各系列ごとに用意してもよいし、さらに複数系列の楽音信号をさらにグループ化して前記変換特性を各グループごとに用意してもよい。また、1つの系列に属する楽音信号が複数の音色(あるいは波形データ)の組み合わせで作られるような場合、前記変換特性を「音色(波形データ)」ごとに用意するようにしてもよい。
【００３３】
また、上記実施形態において、複数系列の楽音信号の音量制御値の変換特性データをレジストレーションデータ内に登録しておき、レジストレーション設定の際に同時に読み出して使用できるようにしてもよい。
【００３４】
また、上記実施形態においては、音量制御値とするパラメータに関しては詳しい説明を省略したが、複数系列の楽音信号を独立に制御可能なパラメータであれば、何でもよい。例えば、「エクスプレッション」、「ボリューム」および「ベロシティ」のうちのいずれでもよい。さらに、エクスプレッションペダル１４の踏み込み量に応じて、複数系列ごとの楽音信号の音量だけではなく、音色又は効果を同時に制御してもよい。この場合、音色又は効果の制御カーブは、音量用の制御カーブと共通でもよいし、別々であってもよい。
【００３５】
さらに、上記実施形態に係る電子楽器に、自動リズム機能、自動伴奏機能などを付加して、これらに関する楽音信号を発生する自動演奏音系列の楽音信号生成部を備え、この自動演奏音系列の楽音信号生成部において生成される自動演奏音系列の楽音信号の音量変化特性を、上記実施形態における各系列の楽音信号の音量変化特性と同様に制御するようにしてもよい。
【図面の簡単な説明】
【００３６】
【図１】本発明の一実施形態に係る電子楽器の全体ブロック図である。
【図２】図１の電子楽器にて実行されるプログラムを示すフローチャートである。
【図３】エクスプレッションペダルを用いた複数系列の楽音信号の音量制御を説明するための機能ブロックである。
【図４】(Ａ)〜(Ｄ)は、複数の楽音信号系列において、エクスプレッションペダルの踏み込み量から音量制御値への変換特性の一例を示すグラフである。
【図５】(Ａ)〜(Ｄ)は、複数の楽音信号系列において、エクスプレッションペダルの踏み込み量から音量制御値への変換特性の他の例を示すグラフである。
【図６】複数の楽音信号系列の変換特性を選択的に変更可能とする変形例に係る機能ブロック図である。
【符号の説明】
【００３７】
１１…上鍵盤、１２…下鍵盤、１３…足鍵盤、１４…エクスプレッションペダル、１５…設定操作子群、１７…音源回路、１７ａ〜１７ｈ…楽音信号生成部、３０…コンピュータ部、３０ａ〜３０ｈ…音量特性変換部、４１…外部記憶装置、Ｍ１〜Ｍ８…乗算部、ＤＡ１…合算部、６１〜６６，６１−１〜６１−ｎ，６２−１〜６２−ｎ，６３−１〜６３−ｎ，６４−１〜６４−ｎ…変換データ
【図１】
2008139721.tif 000003
【図２】
2008139721.tif 000004
【図３】
2008139721.tif 000005
【図４】
2008139721.tif 000006
【図５】
2008139721.tif 000007
【図６】
2008139721.tif 000008